(57)【特許請求の範囲】
【請求項１】
鏡本体に蓋を開閉自在に取り付けるためのヒンジ機構であって、鏡本体の鏡用アームと蓋の蓋用アームと、両者のアームにそれぞれの端をロールピンによって軸止めされたコマとによって、鏡本体側の第１ヒンジと蓋側の第２ヒンジとを構成すると共に第１ヒンジより第２ヒンジの回転トルクを大きくした状態で鏡本体に蓋が連結されており、前記蓋内面下端のコマに臨む箇所でコマと当接できる小突起を設けて回動の際に蓋とコマのなす角度が略９０°以下にならないように規制し、前記鏡用アーム外側個所には蓋側アーム軸の外周部と略同一半径のカップ面を形成し、このカップ面の位置に対応する前記蓋用アーム軸の外周部にはカップ面と擦れて回動する曲面と、さらにこれより凸な曲面を設け、カップ面に対してある範囲だけ摩擦抵抗を増大する部分を設けると共に、前記曲面の一部に回動の際にカップ面の外端面に接触しないような切り欠き面を設けて、蓋に対する鏡本体の角度が略２７０°を超えた任意の角度において安定的に鏡面を固定し、さらに角度が増加すると摩擦抵抗が増大して任意の角度で止めることができるようにしたことを特徴とする鏡用ヒンジ機構。
【発明の詳細な説明】
【技術分野】
【０００１】
この発明は、化粧用あるいは髭剃り用等に使用する鏡のヒンジ機構に関するものである。
【背景技術】
【０００２】
従来より、化粧あるいは髭剃り等を行なう場合、鏡が不可欠で種々の鏡が使用されている。これらの用途に用いる鏡としては、とりわけ携帯に便利な手鏡が愛用されているが、机等の平坦面に置き、鏡の蓋などを置き台とし鏡を立て掛けて用いることも多い。
このため、今までの鏡では、外周より突出したアームにヒンジを設けて回動できるようにしている。しかしこのような場合、蓋は３００°以上回転しないと置き台として機能せず、また鏡にも一定の厚みがあるのでアームの突出を大きくしないと回動できない面があった、このためアームの突出を大きくすると鏡全体の小型化が制約される難点があった。
【０００３】
この解決方法としては、ヒンジ２個を使用し小さなコマの両端に鏡本体のヒンジと、蓋のヒンジを連結して、大きな回転角を少しのアーム突出で行えるようにしたヒンジ機構も知られている。ところが、小型化を図った場合、構造が簡単な小さなヒンジを採用せざるを得ないため、２個のヒンジが勝手に動く構造となってしまい、鏡を任意の角度で固定して使用することができない恨みがあった。
【先行技術文献】
【特許文献】
【０００４】
【特許文献１】特開２００６−２８０７７３号公報
【発明の概要】
【発明が解決しようとする課題】
【０００５】
前述の問題点を解決するために、特許文献１に示された鏡が知られている。この鏡は、２つのヒンジを採用し、これによって鏡本体に対し蓋を大きく開くことができると共に、蓋を支える角度を予め定められた位置で固定して使用することができるようになっている。
本発明は、特許文献１と同様に蓋の開き角度を大きく取れるようにすると共に、蓋を用いて任意の角度で固定することができる鏡のヒンジ機構を提案したものである。
【課題を解決するための手段】
【０００６】
本発明は前記の如き状況に鑑みてなされたもので、その要旨とするところは、鏡本体に蓋を開閉自在に取り付けるためのヒンジ機構であって、鏡本体の鏡用アームと蓋の蓋用アームと、両者のアームにそれぞれの端をロールピンによって軸止めされたコマとによって、鏡本体側の第１ヒンジと蓋側の第２ヒンジとを構成すると共に第１ヒンジより第２ヒンジの回転トルクを大きくした状態で鏡本体に蓋が連結されており、前記蓋内面下端のコマに臨む箇所でコマと当接できる小突起を設けて回動の際に蓋とコマのなす角度が略９０°以下にならないように規制し、前記鏡用アーム外側個所には蓋側アーム軸の外周部と略同一半径のカップ面を形成し、このカップ面の位置に対応する前記蓋用アーム軸の外周部にはカップ面と擦れて回動する曲面と、さらにこれより凸な曲面を設け、カップ面に対してある範囲だけ摩擦抵抗を増大する部分を設けると共に、前記曲面の一部に回動の際にカップ面の外端面に接触しないような切り欠き面を設けて、蓋に対する鏡本体の角度が略２７０°を超えた任意の角度において安定的に鏡面を固定し、さらに角度が増加すると摩擦抵抗が増大して任意の角度で止めることができるようにしたことを特徴とする鏡用ヒンジ機構にある。
なお本発明におけるロールピンとは、板状の弾性体を巻いたもので、常に直径方向に広がろうとする力をもち、この力で軸内壁に摩擦抵抗を発揮するヒンジ用のピンのことを意味している。
【発明の効果】
【０００７】
本発明は、前述の如き構成からなるものであり、第１ヒンジ及び第２ヒンジがロールピンの摩擦抵抗により回転抵抗性の発揮するようになっていることに加え、第１ヒンジより第２ヒンジの回転トルクを大きくしてかつ蓋とコマのなす角度が９０°以下にならないようにしかつ第１ヒンジの回動を固定した状態でこれ以上の回動を第２ヒンジの回動によって行うと共に鏡用アームに設けたカップ面と蓋用アームに設けた曲面とが抵抗を持って擦動するため、鏡本体に対して蓋を任意の角度で開いた位置で固定して使用することができ、しかも立て掛けて使用するときの蓋の開き角度を任意にしたときも確実に固定して鏡本体が重さで倒れ込むようなことがなく、またヒンジ機構全体が小型化できるため、手鏡など携帯に使用する鏡のヒンジ機構としては優れた効果を奏する利点がある。
【図面の簡単な説明】
【０００８】
【図１】本発明の一実施例を示す斜視図である。
【図２】図１のＡ部分の拡大斜視図である。
【図３】本発明のヒンジ機構の動作を説明するための部分的な断面図である。
【図４】本発明の蓋を取り外した状態のアーム付近の部分的な斜視図である。
【図５】本発明のヒンジ機構の回動状態を示す部分的な断面図である。
【図６】図５の状態から時計方向に回動させた状態を示す部分的な断面図である。
【図７】図６の状態からさらに時計方向に回動させた状態を示す部分的な断面図である。
【図８】本発明の蓋を置き台として鏡本体を傾斜させて固定させた状態を示す斜視図である。
【発明を実施するための形態】
【０００９】
以下本発明の実施の形態を図面に基づき説明する。
図面は本発明のヒンジ機構を比較的小型の円形の手鏡に適用した実施例を示すものである。
図１は鏡の蓋を略直角に開いた状態を示しており、図中１は鏡本体、２は鏡用アーム、３は蓋、４は蓋用アーム、５はコマで、鏡用アーム２と蓋用アーム４と両者間に介在するコマ５とは、コマ５の両端をロールピンを挿通すことにより軸止めされた第１ヒンジ２Ａ及び第２ヒンジ４Ａとによって、鏡本体１と蓋２は連結されている。なお図中１Ｂは鏡本体１の鏡面である。
【００１０】
図２によってさらに詳しく説明すると、鏡用アーム２と蓋用アーム４に設けられた軸孔(図示略)とコマ５の両端に設けられた軸孔（図示略）とにロールピンを各２本、計４本を挿通して軸止めしている。これによって、コマ５を間にして鏡本体側の第１ヒンジ２Ａと蓋側の第２ヒンジ４Ａとが構成されているが、本発明では何れもロールピンを採用しているため、弾性力により摩擦抵抗を発揮して、蓋３を任意の開き角度で固定することができるようになっている。なお図中２Ｂ及び２Ｃは後述するカップ面及び外端面であり、３Ａは同じく小突起である。
【００１１】
本発明のヒンジ機構を図３に基づいて説明すると、蓋３を矢印Ｂ方向に開いていくと、蓋３の内面下端のコマ５に臨む箇所に設けた一対の小突起３Ａがコマ５に当接して動くため、蓋３の角度は略９０°以下にはならないようになっている。このときコマ５は第１ヒンジ２Ａのトルクに対抗しながら回動しており、第２ヒンジ４Ａは対抗トルクが第１ヒンジ２Ａより大きいため回動していない。このようにして蓋３とコマ５は略９０°の角度を維持したまま開くことができる。
なお、図４は、蓋３を取り外したアーム付近の状態を示しており、３Ａが小突起であり、４Ｂ、４Ｃ、４Ｄ、４Ｅはそれぞれ蓋用アーム４の外周部、曲面、凸な曲面、切り欠き面を示している。
【００１２】
図５ないし図７は、図３の状態からさらに蓋３の開き角度を大きくしていくときのヒンジ機構の動作を説明したものである。
まず図５では第１ヒンジ２Ａを中心として蓋３が時計方向(矢印Ｃ)に回動すると、蓋用アーム４の切り欠き面４Ｅが鏡用アーム２の外端面２Ｃには当たらずに乗り越えるため、蓋２がスムースに回動していくことができこととなる。
【００１３】
図６はさらに回動させたもので、こうなるとコマ５の背面５Ａが鏡本体１のヒンジ側外壁１Ａ（図３参照）に当接してコマ５はこれ以上動けない状態となる。この状態は、通常鏡を手に持って蓋３を開くときと同様であるが、蓋３を元に戻して閉じるときは、第１ヒンジ２Ａを中心にコマ５との角度を保ったまま反時計回りに回動させて行うことができる。
【００１４】
図７は蓋３をさらに時計方向に回動させて、蓋３を鏡の置き台として使用する場合の動作を説明するもので、図６の状態からさらに時計方向に回動させると、コマ５の動きを止めてあるため第１ヒンジ２Ａの回動は止まり、第２ヒンジ４Ａだけが回動することになる。
すると蓋用アーム４の外周部４Ｂがカップ面２Ｂを擦りながら図のように噛みこんでいきコマ５はロックされ反時計方向にも動けなる。この状態で鏡を立て掛けると第１ヒンジ２Ａが勝手に動くことなく使用できるが、さらに凸な曲面４Ｄがカップ面２Ｂに至ると、第２ヒンジ４Ａに大きな回転抵抗力が発生し、鏡を２７０°を過ぎる任意の角度において立て掛けても安定的に使用することができることとなる。
【００１５】
以上のようにして、立て掛けて使用した状態を示すのが図８であり、本発明では鏡本体１にある程度の自重が加わっている場合でも固定した所定の角度を維持することができ、実用価値が高い。
【００１６】
以上本発明を実施例の図面にしたがって説明したが、鏡本体１及び蓋２は合成樹脂や軽金属材料で成形して組み立てることができ、鏡本体１の鏡面１Ｂの材料も従来のガラス製ばかりでなく鏡面膜を設けた合成樹脂シートを使用することができる。また、本発明は、手鏡以外の一般の鏡にも適用することができる。
【符号の説明】
【００１７】
１    鏡本体
１Ａ  ヒンジ側の外壁
１Ｂ  鏡面
２    鏡用アーム
２Ｂ  カップ面
２Ｃ  外端面
３    蓋
３Ａ  小突起
４    蓋用アーム
４Ａ  第２ヒンジ
４Ｂ  外周部
４Ｃ  曲面
４Ｄ  凸な曲面
４Ｅ  切り欠き面
５    コマ
５Ａ  背面
【図１】
0005500545.tif 000002
【図２】
0005500545.tif 000003
【図３】
0005500545.tif 000004
【図４】
0005500545.tif 000005
【図５】
0005500545.tif 000006
【図６】
0005500545.tif 000007
【図７】
0005500545.tif 000008
【図８】
0005500545.tif 000009